(57)【要約】【課題】  構造がシンプルで、フィード速度を向上させられ、圧迫ろ過効果が良好なプレッシャーフィルターを提供する。【解決手段】  プレッシャーフィルターは液圧装置１、プレッシング装置２、少なくとも２個のフィルタープレート３を有する。液圧装置１とプレッシング装置２の両側にはガイドビーム４を固定する。液圧装置１の前端にはピストンロッド５を設置する。ピストンロッド５はガイドビーム４に可動するように取り付けられる。ピストンロッド５の前端にはプッシュプレート６を連接し、フィルタープレート３はガイドビーム４に取り付けられる。プッシュプレート６とプレッシング装置２とはフィルタープレート３の両側にそれぞれ位置する。プレッシング装置２には第一フィードインレット７１を設置し、プッシュプレート６には第二フィードインレット７２を設置する。各フィルタープレート３組はマテリアル通過孔３１を有し、隣り合う２個のフィルタープレート３組は、両側の先端どうしが接続し、マテリアル通過孔３１はマテリアル通路８を形成する。第一フィードインレット７１と第二フィードインレット７２とマテリアル通路８とは相互に連通する。２個のフィードインレットを設置するため、構造がシンプルで、フィード速度を大幅に向上させられ、且つ圧迫ろ過効果は良好である。【選択図】  図１
2016520421.tif 000002
【特許請求の範囲】
【請求項１】
プレッシャーフィルターであって、液圧装置、プレッシング装置、少なくとも２個のフィルタープレートを有し、
前記液圧装置と前記プレッシング装置の両側には、ガイドビームを固定し、
前記液圧装置の前端には、ピストンロッドを設置し、
前記ピストンロッドは、前記ガイドビームに可動するように取り付けられ、
前記ピストンロッドの前端には、プッシュプレートを連接し、
前記フィルタープレートは、前記ガイドビームに取り付けられ、
前記プッシュプレートと前記プレッシング装置とは、前記フィルタープレートの両側にそれぞれ位置し、
前記プレッシング装置には、第一フィードインレットを設置し、前記プッシュプレートには、第二フィードインレットを設置し、前記各フィルタープレート組は、マテリアル通過孔を有し、隣り合う２個の前記フィルタープレート組は、両側の先端どうしが接続し、前記マテリアル通過孔は、マテリアル通路を形成し、前記第一フィードインレットと前記第二フィードインレットと前記マテリアル通路とは相互に連通することを特徴とするプレッシャーフィルター。
【請求項２】
前記第一フィードインレットは水平に設置され、
前記第二フィードインレットは、垂直孔から前記マテリアル通過孔へと連通することを特徴とする請求項１に記載のプレッシャーフィルター。
【請求項３】
前記第一フィードインレットと前記第二フィードインレットには、バルブを設置することを特徴とする請求項１に記載のプレッシャーフィルター。
【請求項４】
前記フィルタープレートの両面の外圈位置には、封鎖された凸リブをそれぞれ設置し、
前記２個のフィルタープレートが密着すると、前記板体の両面の凸リブの間には、ギャップを形成することを特徴とする請求項１或いは２或いは３に記載のプレッシャーフィルター。
【請求項５】
前記板体の一面の凸リブの頂面は、平面で、
前記板体の反対面の凸リブは、尖頂或いは弧面頂であることを特徴とする請求項４に記載のプレッシャーフィルター。
【請求項６】
前記２個のフィルタープレートが密着すると、隣り合う２個のフィルタープレートの前記頂面と前記尖頂或いは弧面頂との間に形成されたギャップは、封鎖状で、
前記頂面は、内圈に設置され、前記尖頂或いは弧面頂は、外圈に設置されることを特徴とする請求項５に記載のプレッシャーフィルター。
【請求項７】
前記ギャップの幅は３ｍｍ〜５ｍｍで、
前記板体の両面には、円周に均一に分布するサポート柱を設置し、
前記２個のフィルタープレートが密着すると、前記板体が対応するサポート柱は相互に緊密に接触することを特徴とする請求項４に記載のプレッシャーフィルター。
【請求項８】
前記板体の両面は、凸リブ内の範圍に、柱状突起が均一にいっぱいに充填され、
前記すべての柱状突起の頂面は相互にフラットで、
前記板体の出っ張る柱状突起のベース面は外圈で比較的厚く、内圈で比較的薄く、外圈に位置する前記柱状突起は比較的低く、内圈に位置する前記柱状突起は比較的高いことを特徴とする請求項４に記載のプレッシャーフィルター。
【請求項９】
前記サポート柱は、円周に従い、内圈か外圈かに位置し、二組に分かれ、
前記内圈に位置する一組は４個で、前記各サポート柱の直径は３０ｍｍ〜５０ｍｍで、
前記外圈に位置する一組は６個で、前記各サポート柱の直径は５０ｍｍ〜７０ｍｍであることを特徴とする請求項８に記載のプレッシャーフィルター。
【請求項１０】
前記外圈に位置する前記サポート柱の分布円周の直径は前記フィルタープレートの直径の４０-６０％で、
前記内圈に位置する前記サポート柱の分布円周の直径は前記フィルタープレートの直径の２０-３０％であることを特徴とする請求項９に記載のプレッシャーフィルター。
【発明の詳細な説明】
【技術分野】
【０００１】
本発明は圧搾機に関し、特にプレッシャーフィルターに関する。
【背景技術】
【０００２】
プレッシャーフィルターは、環境保護技術領域においてしばしば用いられる工業設備である。
汚泥が混じった汚水は、プレッシャーフィルターを経た後、比較的乾燥したマテリアルと比較的きれいな水に分離される。
これにより、マテリアルの体積は大幅に縮小し、埋め立て或いは焼却等形式による処理に便利である。
水は各種固態成分を分離され、或いは直接回收利用され、或いはさらに処理を行った後、回收利用され、及び直接放出される。
【０００３】
プレッシャーフィルター使用時には、フィルタープレートは、圧迫され、相互に密集し、フィルターはフィルタープレート表面に取り付けられ、隣り合うフィルタープレートのフィルターの間には、封鎖空間を形成する。
汚水は、フィルタープレートの中心孔を経由し、各フィルタープレートの間の封鎖空間内に入る。
汚水の強大な圧力により、水はフィルターを通過しフィルタープレート内部に開設される透水孔に入り、プレッシャーフィルターから排出される。
けれども、汚泥はフィルターを通過できないため、隣り合うフィルタープレートのフィルターの間の封鎖空間に累積する。
汚泥が一定量まで沈積すると、フィルタープレートを開き、塊状になった汚泥を一個ずつフィルタープレートのフィルターの間から落下させる。
【０００４】
現在、省エネや環境保護は社会全体が注目するホットな話題である。
プレッシャーフィルターは体積が巨大な汚水を体積が小さな汚泥の塊に変えられ、企業の汚水処理コストを大幅に圧縮できるため、極めて高い経済効益と社会効益を備える。
上記した全過程から分かるように、プレッシャーフィルターの作動効率と作動効果は、最も重要な二つの要素である。
前者は、一定時間内にどれだけの汚水をろ過できるかであり、後者は、最終的にろ過された汚泥の含水率がどれだけ低いかである。
つまり、プレッシャーフィルターの改良は上記した問題の集合なのである。
【０００５】
既存の技術中のプレッシャーフィルターが備えるフィードインレットは１個だけであるため、フィード速度を向上させられず、作動効率に深刻な制限を加えている。
且つ大型プレッシャーフィルターの市販に従い、圧迫ろ過エリアの長さも大きく拡大し、汚泥の注入時、重量の影響を受け、フィードインレットに近いフィルタープレート中の汚泥はすでにろ過され、且つ含水率が大幅に低下しているのに、フィードインレットから離れたフィルタープレートはまだ汚泥を受け取っていないという状況が起きている。
これにより、圧搾が不均一となり、構成部材の損耗を拡大してしまう。
【０００６】
フィルタープレート直径はすべて０．６ｍ以下である。
仮により大きなサイズのフィルタープレートを製造すれば、一回により多くの汚泥をろ過することができ、作動効率を向上させることができる。
しかし、フィルタープレート直径が大きくなるに従い、二つの問題が現れてくる。
【発明の概要】
【発明が解決しようとする課題】
【０００７】
前記先行技術には、以下のような二つの欠点がある。
一つ目は、直径が大きくなれば、フィルタープレートの円周もそれに従い長くなり、圧迫ろ過の状態時、隣り合うフィルタープレートの間の密封はより困難になる点である。
特に汚泥の塊が脱落する時、隣り合うフィルタープレートの密封位置に落下してしまう汚泥の塊もやはりある。
各プレッシャーフィルターは、十数個のフィルタープレートを有し、サイズも非常に大きいため、人手により汚泥の塊を一回一回清掃することは不可能である。
次に圧迫ろ過する時、隣り合うフィルタープレートをしっかりと密封することは恐らく無理である。
これにより、汚水は汚泥を含んだままで、非密封位置から流れ出るため、フィルターにろ過されることはない。
【０００８】
二つ目は、フィルタープレートが受ける圧力は、汚水の圧力にフィルタープレートの面積を掛けたものであるため、フィルタープレートの直径が大きくなれば、フィルタープレートが受ける汚水圧力も大きくなる点である。
よって、圧迫ろ過の過程において、フィルタープレートは隣り合う両側の汚水の衝撃により左右に揺れ動き、フィルタープレートの強度が不十分なら、容易に破損し、フィルタープレートの使用寿命を短くしてしまう。
【課題を解決するための手段】
【０００９】
本発明はプレッシャーフィルターの汚水圧迫ろ過の作動効率と圧迫ろ過効果を高めることができるプレッシャーフィルターに関する。
【００１０】
本発明によるプレッシャーフィルターは、液圧装置、プレッシング装置、少なくとも２個のフィルタープレートを有する。
該液圧装置とプレッシング装置の両側には、ガイドビームを固定する。
該液圧装置の前端には、ピストンロッドを設置する。
該ピストンロッドは、該ガイドビームに可動するように取り付けられる。
該ピストンロッドの前端には、プッシュプレートを連接する。
該フィルタープレートは、ガイドビームに取り付けられる。
該プッシュプレートと該プレッシング装置とは、該フィルタープレートの両側にそれぞれ位置する。
該プレッシング装置には、第一フィードインレットを設置する。
該プッシュプレートには、第二フィードインレットを設置する。
該各フィルタープレート組は、マテリアル通過孔を有し、隣り合う該２個のフィルタープレート組は、両側の先端どうしが接続し、該マテリアル通過孔は、マテリアル通路を形成する。
該第一フィードインレットと該第二フィードインレットと該マテリアル通路とは相互に連通する。
該第一フィードインレットは水平に設置され、該第二フィードインレットは、垂直孔からマテリアル通過孔へと連通する。
該第一フィードインレットと該第二フィードインレットには、バルブを設置する。
該フィルタープレートの両面の外圈位置には、封鎖された凸リブをそれぞれ設置する。
該２個のフィルタープレートが密着すると、該板体の両面の凸リブの間には、ギャップを形成する。
該板体１の一面の凸リブの頂面は平面で、該板体の反対面の凸リブは尖頂或いは弧面頂である。
該２個のフィルタープレートが密着すると、隣り合う２個のフィルタープレートの該頂面と該尖頂或いは弧面頂との間に形成されたギャップは、封鎖状である。
該頂面は、内圈に設置され、該尖頂或いは弧面頂は、外圈に設置される。
該ギャップの幅は３ｍｍ〜５ｍｍで、該板体の両面には、円周に均一に分布するサポート柱を設置する。
該２個のフィルタープレートが密着すると、該板体が対応するサポート柱１５は相互に緊密に接触する。
該板体の両面は、凸リブ内の範圍に、柱状突起が均一にいっぱいに充填され、該すべての柱状突起の頂面は相互にフラットで、該板体の出っ張る柱状突起のベース面は外圈で比較的厚く、内圈で比較的薄い。
外圈に位置する該柱状突起は比較的低く、内圈に位置する該柱状突起は比較的高い。
該サポート柱は、円周に従い、内圈か外圈かに位置し、二組に分かれる。
内圈に位置する一組は４個で、各サポート柱の直径は３０ｍｍ〜５０ｍｍで、外圈に位置する一組は６個で、各サポート柱の直径は５０ｍｍ〜７０ｍｍである。
外圈に位置する該サポート柱の分布円周の直径は該フィルタープレートの直径の４０-６０％で、内圈に位置する該サポート柱の分布円周の直径は該フィルタープレートの直径の２０-３０％である。
【００１１】
本発明は、２個のフィードインレットがフィルタープレートの両側にそれぞれ位置するため、マテリアルが進入する時、両端が同時に行われ、これによりフィード速度を大幅に向上させられ、圧迫ろ過が均一になる。
さらに、フィルタープレートの正面と裏面には、封鎖された凸リブの構造をそれぞれ設置し、且つ隣り合うフィルタープレートがプレッシングすると、正面と裏面の凸リブの間には、一定サイズのギャップが形成されるため、マテリアルがフィルタープレートの密封位置に残留しており、フィルタープレートが相互にプレッシングする時、ギャップは一定の残留マテリアルを収容でき、こうして残留マテリアルのフィルタープレート密封への影響を回避することができる。
【図面の簡単な説明】
【００１２】
【図１】本発明の一実施形態によるプレッシャーフィルターの立体図である。
【図２】本発明の一実施形態によるフィルタープレートが多数密着する時の構造模式図である。
【図３】本発明の一実施形態によるフィルタープレートのギャップ付近の構造を示す図２のａ位置の局部拡大構造模式図である。
【図４】本発明の一実施形態によるフィルタープレートのベース面と柱状突起の構造を示す図２のｂ位置の局部拡大構造模式図である。
【図５】本発明の一実施形態によるフィルタープレートの正面の構造模式図である。
【発明を実施するための形態】
【００１３】
（一実施形態）
以下に図及び具体的実施形態を用いて、本発明の技術について説明する。
本実施形態のプレッシャーフィルターは図１に示す通り、液圧装置１、プレッシング装置２、少なくとも２個のフィルタープレート３を有する。
液圧装置１とプレッシング装置２の両側には、ガイドビーム４を固定する。
液圧装置の前端には、ピストンロッド５を設置する。
ピストンロッド５は、ガイドビーム４に可動するように取り付けられる。
ピストンロッド５の前端には、プッシュプレート６を連接する。
フィルタープレート３は、ガイドビーム４に取り付けられる。
プッシュプレート６とプレッシング装置２とは、フィルタープレート３の両側にそれぞれ位置する。
プレッシング装置２には、第一フィードインレット７１を設置する。
プッシュプレート６には、第二フィードインレット７２を設置する。
該各フィルタープレート３組は、マテリアル通過孔３１を有し、隣り合う２個のフィルタープレート３組は、両側の先端どうしが接続し、マテリアル通過孔３１は、マテリアル通路８を形成する。
第一フィードインレット７１と第二フィードインレット７２とマテリアル通路８とは相互に対応する。
【００１４】
好ましくは、第一フィードインレット７１は水平に設置され、第二フィードインレット７２は、垂直孔からマテリアル通過孔３１へと連通する。
第二フィードインレット７２は、プッシュプレート６中に設置されるため、プッシュプレート６の反対端はピストンロッド５と液圧装置１で、第二フィードインレット７２は垂直孔よりマテリアル通過孔３１へと連接する。
これにより、フィードパイプラインに残す必要がある空間を節約でき、設備の全体的長さを大幅に減らすことができ、これにより空間を節減できる他、材料を節約することもできる。
第一フィードインレット７１の反対端には他の装置を設置しないため、シンプルに水平に設置され、これによって製造コストを削減することができる。
【００１５】
好ましくは、第一フィードインレット７１と第二フィードインレット７２には、バルブを設置する。
バルブの設置により、フィード完成後にバルブを閉じ、プレッシャーフィルターとフィードパイプラインとの間の連通を遮断することができ、プレッシャーフィルターの圧力を高め、圧迫ろ過効果をより良好にすることができる。
【００１６】
作動時には、先ず液圧装置１を起動する。
ピストンロッド５を通してプッシュプレート６を連動し、フィルタープレート３端部を封鎖して圧力を保つ。
続いて、汚泥は第一フィードインレット７１と第二フィードインレット７２を通り、マテリアル通過孔３１により形成されるマテリアル通路８に同時に進入し、各フィルタープレート３中に進入する。
次に、第一フィードインレット７１と第二フィードインレット７２のバルブを閉鎖する。
【００１７】
液圧装置１を起動すると、液圧装置１はピストンロッド５を駆動し、プッシュプレート６にフィルタープレート３を圧迫させる。
こうして、マテリアルは脱水され、圧搾完成後、液圧装置１はピストンロッド５を駆動し、プッシュプレート６を連動して元に戻らせる。
フィルタープレート３が復位すると、マテリアルキャビティ内のマテリアルを取り出すことができる。
２個のフィードインレットは、フィルタープレート３の両側にそれぞれ位置するため、マテリアルが進入する時には、両端が同時に行われ、フィードの速度を二倍にすることができる。
フィードの速度が高まれば、汚泥をフィルタープレート３全体に充填する時間を減らせ、汚泥の沈殿により、圧迫ろ過が不均一になるという問題を除去することができる。
【００１８】
本実施形態のフィルタープレート３は、図２〜図４に示す通り、板体３２の両面の外圈位置には、封鎖された凸リブをそれぞれ設置する。
２個のフィルタープレート３が密着すると、板体３２の両面の凸リブの間には、ギャップ３３を形成する。
板体３２は、円形、或いは方形で、円形であれば、凸リブは円環状の凸台で、方板であれば、凸リブは方形の凸台である。
凸リブの封鎖とは、凸リブは、両側の先端どうしが接続し、フィルタープレート３の板体３２の外圈を一周する環台を取り囲む。
【００１９】
既存の技術中では、隣り合うフィルタープレート３は両面の外圈位置に、密封に用いるエプロンを設置し、或いは正面が環状突起で、裏面は位置が対応する環状凹ピットの構造を採用する。
これら構造は、緊密に密封されるようであるが、実際の作動状況には適していない。
なぜなら、ろ過後の汚泥塊が脱落する時、一部のマテリアルはフィルタープレート３の密封位置に残留し、これによりフィルタープレート３が次にプレッシングする時、残留していたマテリアルも２個のフィルタープレート３の間をプレッシングするため、密封が失効してしまうからである。
【００２０】
よって、本発明は、板体３２の正面と裏面に、それぞれ１個の封鎖した凸リブを設置する構造を設計した。
且つ隣り合うフィルタープレート３がプレッシングすると、正面と裏面の凸リブの間には、一定サイズのギャップ３３を形成する（図３参照）。
よって、マテリアルがフィルタープレート３の密封位置に残留しており、フィルタープレート３が相互にプレッシングする時、ギャップ３３は一定の残留マテリアルを収容でき、こうして残留マテリアルのフィルタープレート３密封への影響を回避することができる。
【００２１】
さらに、板体３２の一面の凸リブの頂面３２１は平面で、板体３２の反対面の凸リブは尖頂或いは弧面頂３２２である。
頂面３２１は平面で、より強力な封鎖作用を備え、向かい側のフィルタープレート３の板面との接触は面接触である。
尖頂或いは弧面頂３２２の構造は、マテリアルを、隣り合う板体３２の接触位置から押して離れさせ、マテリアルを挟んで漏れが起きることを防止可能である。
【００２２】
２個のフィルタープレート３が密着すると、隣り合う２個のフィルタープレート３の頂面３２１と尖頂或いは弧面頂３２２との間に形成されたギャップ３３は、封鎖状である。
本構造は実際には、二重密封構造を形成し、密封性能を増強する。
正面の凸リブと裏面の凸リブとは、内圈と外圈の２本の密封のディフェンスを形成し、２本のディフェンスの間は、残留マテリアルを収容するギャップ３３である。
【００２３】
頂面３２１は、内圈に設置され、尖頂或いは弧面頂３２２は、外圈に設置される。
頂面３２１と隣り合う板面３２の接触は、面接触で、封鎖能力が強いため、内圈において、先ず汚水の圧力を受ける。
尖頂或いは弧面頂３２２は、外圈に位置し、さらに密封の作用を備え、受ける汚水の圧力は比較的小さく、二次的な密封作用を担当する。
【００２４】
ギャップ３３の幅ｙは３ｍｍ-５ｍｍである。
この幅は大き過ぎると強度が不足し、密封性能が低下するため、この幅は大き過ぎてはならない。
一方、小さ過ぎると、マテリアルがすぐにたまって詰まってしまい、密封性能を低下させてしまう。
ギャップ３３の幅ｙとは、ギャップ３３の最内半径と最外半径の差である（図３参照）。
【００２５】
板体３２の両面は、凸リブ内の範圍に、柱状突起３２３が均一にいっぱいに充填される（見易くするため、図５では柱状突起３２３をいっぱいに描いていない）。
図４に示すように、すべての柱状突起３２３の頂面は相互にフラットで、板体３２の出っ張る柱状突起３２３のベース面３２４は外圈で比較的厚く、内圈で比較的薄い。
外圈に位置する柱状突起３２３は比較的低く、内圈に位置する柱状突起３２３は比較的高い。
柱状突起３２３の頂面は相互にフラットであるため、フィルタープレート３の間のマテリアルを、相同の厚さの乾燥マテリアルに圧搾でき、且つこのような構造は、圧搾後のマテリアルの脱落を容易とする。
【００２６】
板体３２の両面には、円周に均一に分布するサポート柱３２５を設置する。
２個のフィルタープレート３が密着すると、板体３２が対応するサポート柱３２５は相互に緊密に接触する。
ポート柱３２５は、汚水の強大な圧力を受けた時、大サイズのフィルタープレートを保護することができ、これによりフィルタープレート３は左右に揺れ動かない。
【００２７】
サポート柱３２５は、円周に従い、内圈か外圈かに位置し、二組に分かれる。
内圈に位置する一組は４個で、各サポート柱３２５の直径は３０ｍｍ〜５０ｍｍで、外圈に位置する一組は６個で、各サポート柱３２５の直径は５０ｍｍ〜７０ｍｍである。
【００２８】
外圈に位置するサポート柱３２５の分布円周の直径はフィルタープレート３の直径の４０-６０％で、内圈に位置するサポート柱３２５の分布円周の直径はフィルタープレート３の直径の２０-３０％である。
サポート柱３２５は、マテリアルの圧力が過大な時、フィルタープレート３の振動も過大にならないよう防止する作用を備える。
最も容易に振動する位置は、フィルタープレート３の中部位置であるため、内圈と外圈に各一組のサポート柱３２５をそれぞれ設置し、フィルタープレート３の圧迫ろ過過程における振動を、これにより効果的に減らすことができる。
【００２９】
フィルタープレート３は円形で、直径ｍは０．６ｍ-１．２ｍで、フィルタープレート３のベース面の厚さｎは３０ｍｍ-４０ｍｍで、フィルタープレート３の最大厚さｘは５０ｍｍ-７０ｍｍである。
板体３２の最大厚さｘとは、板体３２の正面と裏面の凸リブの頂面の最大距離である。
【００３０】
前述した本発明の実施形態は本発明を限定するものではなく、よって、本発明により保護される範囲は後述される特許請求の範囲を基準とする。
【符号の説明】
【００３１】
１  液圧装置、
２  プレッシング装置、
３  フィルタープレート、
３１  マテリアル通過孔、
３２  板体、
３２１  頂面、
３２２  尖頂或いは弧面頂、
３３  ギャップ、
３２３  柱状突起、
３２４  ベース面、
３２５  サポート柱、
４  ガイドビーム、
５  ピストンロッド
６  プッシュプレート、
７１  第一フィードインレット、
７２  第二フィードインレット、
８  テリアル通路、
ｍ  フィルタープレートの直径、
ｎ  フィルタープレートのベース面の厚さ、
ｘ  フィルタープレートの最大厚さ、
ｙ  ギャップの幅。
【図１】
2016520421.tif 000003
【図２】
2016520421.tif 000004
【図３】
2016520421.tif 000005
【図４】
2016520421.tif 000006
【図５】
2016520421.tif 000007
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
プレッシャーフィルターであって、液圧装置、プレッシング装置、少なくとも２個のフィルタープレートを有し、
前記液圧装置と前記プレッシング装置の両側には、ガイドビームを固定し、
前記液圧装置の前端には、ピストンロッドを設置し、
前記ピストンロッドは、前記ガイドビームに可動するように取り付けられ、
前記ピストンロッドの前端には、プッシュプレートを連接し、
前記フィルタープレートは、前記ガイドビームに取り付けられ、
前記プッシュプレートと前記プレッシング装置とは、前記フィルタープレートの両側にそれぞれ位置し、
前記プレッシング装置には、第一フィードインレットを設置し、前記プッシュプレートには、第二フィードインレットを設置し、前記各フィルタープレート組は、マテリアル通過孔を有し、隣り合う２個の前記フィルタープレート組は、両側の先端どうしが接続し、前記マテリアル通過孔は、マテリアル通路を形成し、前記第一フィードインレットと前記第二フィードインレットと前記マテリアル通路とは相互に連通し、
前記フィルタープレートの両面の外圈位置には、封鎖された凸リブをそれぞれ設置し、
前記２個のフィルタープレートが密着すると、前記板体の両面の凸リブの間には、ギャップを形成することを特徴とするプレッシャーフィルター。
【請求項２】
前記第一フィードインレットは水平に設置され、
前記第二フィードインレットは、垂直孔から前記マテリアル通過孔へと連通することを特徴とする請求項１に記載のプレッシャーフィルター。
【請求項３】
前記第一フィードインレットと前記第二フィードインレットには、バルブを設置することを特徴とする請求項１に記載のプレッシャーフィルター。
【請求項４】
前記板体の一面の凸リブの頂面は、平面で、
前記板体の反対面の凸リブは、尖頂或いは弧面頂であることを特徴とする請求項１に記載のプレッシャーフィルター。
【請求項５】
前記２個のフィルタープレートが密着すると、隣り合う２個のフィルタープレートの前記頂面と前記尖頂或いは弧面頂との間に形成されたギャップは、封鎖状で、
前記頂面は、内圈に設置され、前記尖頂或いは弧面頂は、外圈に設置されることを特徴とする請求項４に記載のプレッシャーフィルター。
【請求項６】
前記ギャップの幅は３ｍｍ〜５ｍｍで、
前記板体の両面には、円周に均一に分布するサポート柱を設置し、
前記２個のフィルタープレートが密着すると、前記板体が対応するサポート柱は相互に緊密に接触することを特徴とする請求項１に記載のプレッシャーフィルター。
【請求項７】
前記板体の両面は、凸リブ内の範圍に、柱状突起が均一にいっぱいに充填され、
前記すべての柱状突起の頂面は相互にフラットで、
前記板体の出っ張る柱状突起のベース面は外圈で比較的厚く、内圈で比較的薄く、外圈に位置する前記柱状突起は比較的低く、内圈に位置する前記柱状突起は比較的高いことを特徴とする請求項１に記載のプレッシャーフィルター。
【請求項８】
前記サポート柱は、円周に従い、内圈か外圈かに位置し、二組に分かれ、
前記内圈に位置する一組は４個で、前記各サポート柱の直径は３０ｍｍ〜５０ｍｍで、
前記外圈に位置する一組は６個で、前記各サポート柱の直径は５０ｍｍ〜７０ｍｍであることを特徴とする請求項７に記載のプレッシャーフィルター。
【請求項９】
前記外圈に位置する前記サポート柱の分布円周の直径は前記フィルタープレートの直径の４０-６０％で、
前記内圈に位置する前記サポート柱の分布円周の直径は前記フィルタープレートの直径の２０-３０％であることを特徴とする請求項８に記載のプレッシャーフィルター。
【国際調査報告】
2016520421.tif 000008
2016520421.tif 000009
2016520421.tif 000010
2016520421.tif 000011
2016520421.tif 000012
2016520421.tif 000013